(57)【要約】【課題】外部からの指示または制御なしで、ＷＤＭ信号の波長チャネル間のクロストークを抑制できる光伝送装置を提供する。【解決手段】光伝送装置は、入力光信号のパワーをモニタしてその入力光信号のスペクトルを検出するモニタ部と、入力光信号のスペクトルに基づいて、所定の周波数間隔で連続して配置されている複数のキャリアを含む波長多重光信号を検出する検出部と、波長多重光信号が配置されている周波数領域の減衰量を表す調整情報を生成する生成部と、生成部により生成される調整情報に従って、波長多重光信号に多重化されている各キャリアの光パワーを調整するパワー調整器と、を有する。【選択図】図９
2016220128.tif 000002
【特許請求の範囲】
【請求項１】
入力光信号のパワーをモニタして前記入力光信号のスペクトルを検出するモニタ部と、
前記入力光信号のスペクトルに基づいて、所定の周波数間隔で連続して配置されている複数のキャリアを含む波長多重光信号を検出する検出部と、
前記波長多重光信号が配置されている周波数領域の減衰量を指定する調整情報を生成する生成部と、
前記生成部により生成される調整情報に従って、前記波長多重光信号に多重化されている各キャリアの光パワーを調整するパワー調整器と、
を有する光伝送装置。
【請求項２】
前記調整情報は、前記波長多重光信号が配置されている周波数領域の中央から端部に向かって減衰量が増加してゆく波長特性を指定する
ことを特徴とする請求項１に記載の光伝送装置。
【請求項３】
前記検出部は、さらに前記波長多重光信号に多重化されているキャリアの数を検出し、
前記生成部は、前記検出部により検出されるキャリアの数に基づいて前記調整情報を生成する
ことを特徴とする請求項１に記載の光伝送装置。
【請求項４】
前記検出部は、前記波長多重光信号が配置されている周波数領域における前記スペクトルのピークの数に基づいて、前記波長多重光信号に多重化されているキャリアの数を検出する
ことを特徴とする請求項３に記載の光伝送装置。
【請求項５】
前記波長多重光信号に多重化されている各キャリアの入力光パワーが第１の値と第２の値との間に制御されているときは、前記検出部は、前記スペクトルに基づいて算出される前記波長多重光信号の総光パワーを、前記第１の値と前記第２の値との平均で割算することにより、前記波長多重光信号に多重化されているキャリアの数を検出する
ことを特徴とする請求項３に記載の光伝送装置。
【請求項６】
前記検出部は、前記波長多重光信号のスペクトルの幅を前記波長多重光信号に多重化されているキャリアの周波数間隔で割算することにより、前記波長多重光信号に多重化されているキャリアの数を検出する
ことを特徴とする請求項３に記載の光伝送装置。
【請求項７】
前記検出部により検出される波長多重光信号の状態が変化したときに、前記生成部は、新たな調整情報を生成して前記パワー調整器に与える
ことを特徴とする請求項１に記載の光伝送装置。
【請求項８】
前記検出部は、前記波長多重光信号が配置されている周波数領域の幅または位置を検出し、
前記波長多重光信号が配置されている周波数領域の幅または位置が変化したときに、前記生成部は、新たな調整情報を生成して前記パワー調整器に与える
ことを特徴とする請求項１に記載の光伝送装置。
【請求項９】
前記検出部は、前記入力光信号のスペクトルを所定の周波数間隔でサンプリングして各サンプリング点について光パワーが所定の閾値レベルよりも高いか否かを判定し、各サンプリング点における判定結果に基づいて前記波長多重光信号が配置されている周波数領域の幅または位置を検出する
ことを特徴とする請求項８に記載の光伝送装置。
【請求項１０】
前記検出部により検出される波長多重光信号に多重化されているキャリアの数が変化したときに、前記生成部は、新たな調整情報を生成して前記パワー調整器に与える
ことを特徴とする請求項３に記載の光伝送装置。
【請求項１１】
複数のキャリアを含む光信号を生成する信号源回路と、
前記光信号のパワーをモニタして前記光信号のスペクトルを検出するモニタ部と、
前記光信号のスペクトルに基づいて、所定の周波数間隔で連続して配置されている複数のキャリアを含む波長多重光信号を検出する検出部と、
前記波長多重光信号が配置されている周波数領域の中央領域に配置されているキャリア間の周波数間隔を広くする指示を生成する生成部と、を有し、
前記信号源回路は、前記指示に従って、前記波長多重光信号に多重化されている各キャリアの周波数を調整する
ことを特徴とする光伝送装置。
【発明の詳細な説明】
【技術分野】
【０００１】
本発明は、波長多重光信号を伝送する光伝送装置に係わる。
【背景技術】
【０００２】
近年、波長分割多重（ＷＤＭ：Wavelength Division Multiplexing）を利用するＷＤＭ伝送システムが普及してきている。ＷＤＭは、波長の異なる複数の光信号を多重化して伝送することができる。ＷＤＭ伝送システムにおいては、各ノードに光分岐挿入装置（ＲＯＡＤＭ：Reconfigurable Optical Add Drop Multiplexer）が設けられる。ＲＯＡＤＭは、ＷＤＭ信号から所望の波長の光信号を分岐することができ、また、ＷＤＭ信号の空チャネルに光信号を挿入することができる。
【０００３】
また、高速モバイル通信およびインターネット回線を使用したクラウドサービスの普及により、通信トラヒックが急速に増大している。このため、ＷＤＭ伝送システムの伝送容量を大きくする技術が研究されている。例えば、各波長チャネルの伝送レートを高くする技術の１つとして、デジタルコヒーレント受信が実用化されている。また、ＷＤＭの波長間隔を狭くすることで、ＷＤＭ信号に多重化される波長チャネルの数を増やす技術が研究されている。例えば、スーパーチャネルは、50GHz以下の周波数間隔で連続して配置される複数のキャリアを多重化して所望の伝送容量を提供することができる。
【０００４】
なお、関連技術として、光信号の波長間隔が狭くても、光信号の光パワーを正しくモニタできる光パワーモニタが提案されている（例えば、特許文献１）。また、制御対象波長とその隣接波長の光送信パワーを同時に制御することで、伝送特性の最適化を実現する波長多重光伝送装置が提案されている（例えば、特許文献２）。さらに、スーパーチャネルのサブキャリア間のクロスコネクトを減少させる方法が提案されている（例えば、特許文献３）。
【先行技術文献】
【特許文献】
【０００５】
【特許文献１】特開２０１３−２０１４９５号公報
【特許文献２】特開２０１２−１０５１６７号公報
【特許文献３】特開２０１４−２１７０５４号公報
【発明の概要】
【発明が解決しようとする課題】
【０００６】
ＷＤＭ信号の伝送特性は、隣接する波長チャネル間のクロストークにより劣化することがある。特に、ＷＤＭの波長間隔が狭い場合（例えば、スーパーチャネルが構成される場合）、隣接する波長チャネル間のクロストークが大きくなり、各波長チャネルの品質が劣化してしまう。ここで、スーパーチャネルを構成するキャリアの配置が既知であれば、その配置に応じて各キャリアの光パワーを適切に制御することにより、クロストークに起因する問題は緩和されるかも知れない。
【０００７】
ところが、近年、ユーザの要求に応じて光パスの容量および／または経路を柔軟に変更できるネットワークが提案されている。このようなネットワークでは、スーパーチャネルを構成するキャリアの配置が頻繁に変わり得る。すなわち、隣接する波長チャネル間のクロストークを抑制するためには、光パスの容量および／または経路が変わる毎に、各キャリアの光パワーを制御する必要が生じる。
【０００８】
他方、ＳＤＮ（Software Defined Network）技術を利用してネットワーク機器を制御する構成が検討されている。ＳＤＮは、例えば、OpenFlowなどの共通言語を利用してフロー制御を実現できる。また、将来は、ＷＤＭ伝送装置も、ＳＤＮにより制御されることが予測される。ところが、スーパーチャネルの制御（例えば、スーパーチャネルの設定、スーパーチャネルの容量の変更など）は、ベンダ毎に独自に設計されている。このため、ＳＤＮが普及しても、OpenFlowなどの共通言語でスーパーチャネルを制御しようとすると、フローメッセージが複雑になってしまう。したがって、ＷＤＭ伝送装置は、外部からの制御（たとえば、ＳＤＮによるフローメッセージ）を受けることなく、ＷＤＭ信号（特に、スーパーチャネル信号）の波長チャネル間のクロストークを抑制できることが好ましい。
【０００９】
本発明の１つの側面に係わる目的は、外部からの指示または制御なしで、ＷＤＭ信号の波長チャネル間のクロストークを抑制できる光伝送装置を提供することである。
【課題を解決するための手段】
【００１０】
本発明の１つの態様の光伝送装置は、入力光信号のパワーをモニタして前記入力光信号のスペクトルを検出するモニタ部と、前記入力光信号のスペクトルに基づいて、所定の周波数間隔で連続して配置されている複数のキャリアを含む波長多重光信号を検出する検出部と、前記波長多重光信号が配置されている周波数領域の減衰量を表す調整情報を生成する生成部と、前記生成部により生成される調整情報に従って、前記波長多重光信号に多重化されている各キャリアの光パワーを調整するパワー調整器と、を有する。
【発明の効果】
【００１１】
上述の態様によれば、外部からの指示または制御なしで、ＷＤＭ信号の波長チャネル間のクロストークを抑制できる光伝送装置が実現される。
【図面の簡単な説明】
【００１２】
【図１】光ネットワークの一例を示す図である。
【図２】ＷＤＭ伝送装置の一例を示す図である。
【図３】ＷＤＭ伝送装置の他の例を示す図である。
【図４】ＷＤＭ伝送装置のさらに他の例の送信部を示す図である。
【図５】ＷＤＭ伝送装置のさらに他の例の受信部を示す図である。
【図６】スーパーチャネルに多重化されるキャリア間の相互作用について説明する図である。
【図７】スーパーチャネル信号の最適化の一例を示す図である。
【図８】スーパーチャネル信号の最適化の効果を示す図である。
【図９】第１の実施形態に係わる光伝送装置の一例を示す図である。
【図１０】複数のラインカードにより生成される光信号の一例を示す図である。
【図１１】第１の実施形態の最適化データベースの一例を示す図である。
【図１２】波長選択スイッチの減衰機能を模式的に示す図である。
【図１３】光チャネルモニタの出力を利用してスーパーチャネル信号を検出する方法を説明する図である。
【図１４】第１の実施形態の管理テーブルの一例を示す図である。
【図１５】第１の実施形態の管理テーブルの他の例を示す図である。
【図１６】スーパーチャネル信号を最適化する処理の一例を示すフローチャートである。
【図１７】第２の実施形態に係わる光伝送装置の一例を示す図である。
【図１８】第２の実施形態の最適化データベースの一例を示す図である。
【図１９】第２の実施形態の管理テーブルの一例を示す図である。
【発明を実施するための形態】
【００１３】
図１は、本発明の実施形態の係わる光伝送装置が使用される光ネットワークの一例を示す。図１に示す光ネットワークは、ＷＤＭ信号を伝送する。すなわち、本発明の実施形態の係わる光伝送装置はＷＤＭ伝送装置である。そして、光ネットワークの各ノードには、ＷＤＭ伝送装置１が設けられている。なお、この実施例では、複数のＷＤＭ伝送装置１がメッシュ状に接続されている。
【００１４】
ネットワーク管理システム（ＮＭＳ）２は、各ＷＤＭ伝送装置１の状態を監視し、各ＷＤＭ伝送装置１の設定を変更できる。例えば、ネットワーク管理システム２は、指定されたノード間に指定された帯域の光パスを設定できる。なお、光ネットワークは、ネットワーク管理システム２の代わりにＳＤＮコントローラを備える構成であってもよい。
【００１５】
図２は、ＷＤＭ伝送装置の一例を示す。ＷＤＭ伝送装置１は、この実施例では、送信部１０および受信部２０を備える。なお、図２においては、ＷＤＭ伝送装置の中の光分岐挿入装置（ＲＯＡＤＭ：Reconfigurable Optical Add Drop Multiplexer）が描かれている。したがって、ＷＤＭ伝送装置１は、図２に示していない他の回路要素を備えていてもよい。
【００１６】
ＷＤＭ伝送装置１は、複数のラインカード３１を収容することができる。ラインカード３１は、例えば、送信回路および受信回路を含む光送受信回路である。この場合、ラインカード３１の送信回路は、ＬＤ光源および光変調器を含み、入力データを伝送する光変調信号を出力する。ラインカード３１の受信回路は、光受信器および光復調器を含み、受信光変調信号を復調してデータを再生する。
【００１７】
送信部１０は、光合波部１１、波長選択スイッチ（ＷＳＳ）１２、および光チャネルモニタ（ＯＣＭ：Optical Channel Monitor）１３を含む。光合波部１１は、複数のラインカード３１から出力される複数の光信号を合波してＷＤＭ信号を生成する。波長選択スイッチ１２は、ＷＤＭ信号中に多重化されている各波長チャネルを処理する。例えば、ある波長チャネルの光信号を停止する指示が与えられたときは、波長選択スイッチ１２は、その波長チャネルの光パワーを十分に減衰させることにより、その波長チャネルの光信号を遮断する。光チャネルモニタ１３は、ＷＤＭ信号中に多重化されている各波長チャネルの光パワーを検出する。すなわち、光チャネルモニタ１３は、入力ＷＤＭ信号の状態をモニタする。そして、送信部１０は、波長選択スイッチ１２を通過した光信号を含むＷＤＭ信号を光伝送路３２ａへ出力する。
【００１８】
受信部２０は、波長選択スイッチ２１、光チャネルモニタ２２、光分波部２３を含む。波長選択スイッチ２１は、光伝送路３２ｂを介して受信するＷＤＭ信号に多重化されている各波長チャネルを処理する。光チャネルモニタ２２は、受信ＷＤＭ信号中に多重化されている各波長チャネルの光パワーを検出する。光分波部２３は、受信ＷＤＭ信号を波長チャネル毎に分離してそれぞれ対応するラインカード３１に導く。
【００１９】
図３は、ＷＤＭ伝送装置の他の例を示す。図３に示すＷＤＭ伝送装置１には、複数のＷＤＭ伝送装置３ａ〜３ｂが接続されている。ＷＤＭ伝送装置１およびＷＤＭ伝送装置３ａ〜３ｃは、同じ局舎内に設けられていてもよいし、異なる局舎に設けられていてもよい。そして、ＷＤＭ伝送装置３ａ〜３ｂからＷＤＭ伝送装置１に導かれるＷＤＭ信号は、受信部１０の波長選択スイッチ１２により処理される。また、光伝送路３２ｂを介して受信したＷＤＭ信号は、受信部２０の波長選択スイッチ２１により処理され、光分波部２３およびＷＤＭ伝送装置３ａ〜３ｃに導かれる。
【００２０】
図４〜図５は、ＷＤＭ伝送装置のさらに他の例を示す。図４〜図５に示すＷＤＭ伝送装置は、ＣＤＣ（Color-less, Direction-less, Contention-less）−ＲＯＡＤＭを実現する。この場合、送信部１０は、図４に示すように、光スイッチ１４、波長選択スイッチ１２ａ〜１２ｎ、光チャネルモニタ１３ａ〜１３ｎを備える。なお、波長選択スイッチ１２ａ〜１２ｎおよび光チャネルモニタ１３ａ〜１３ｎは方路ごとに設けられる。そして、光スイッチ１４は、ラインカード３１により生成される光信号を、出力すべき方路に対応する波長選択スイッチに導く。受信部２０は、図５に示すように、波長選択スイッチ２１ａ〜２１ｎ、光チャネルモニタ２２ａ〜２２ｎ、光スイッチ２４を備える。なお、波長選択スイッチ２１ａ〜２１ｎおよび光チャネルモニタ２２ａ〜２２ｎは方路ごとに設けられる。そして、光スイッチ２４は、方路ａ〜方路ｎから受信する光信号を対応するラインカード３１に導く。
【００２１】
上記構成のＷＤＭ伝送装置は、スーパーチャネル信号を伝送することができる。スーパーチャネル信号は、ＤＷＤＭ（Dense WDM）信号の１つの態様である。ただし、スーパーチャネルは、複数の隣接する波長チャネル（または、複数の隣接するキャリア）を使用して、所望の容量の統合信号を伝送することができる。このとき、スーパーチャネル信号に多重化されるキャリアの数は、ユーザから要求された伝送容量に応じて決定される。なお、スーパーチャネルに多重化されているキャリアは、「サブキャリア」と呼ばれることもある。
【００２２】
スーパーチャネルの構成は、たとえば、ユーザからの要求に応じて決定される。この場合、スーパーチャネルの構成を指示する制御信号が対応するノード（例えば、スーパーチャネル信号の送信元ノードおよび宛先ノード）に与えられる。この制御信号は、例えば、スーパーチャネル信号に多重化されるキャリアの数およびスーパーチャネル信号に多重化される各キャリアの周波数（または、波長）を指定する。そうすると、送信元ノードにおいて、制御信号に応じて、必要な数のラインカード３１によりスーパーチャネル信号が生成される。
【００２３】
スーパーチャネル信号は、上述したように、複数の隣接するキャリアを使用して構成される。ここで、スーパーチャネル信号は、例えば、50GHz以下の間隔で連続して配置されている複数のキャリアを利用して構成される。１つの実施例としては、スーパーチャネル信号は、37.5GHz間隔または42.5GHz間隔で連続して配置されている複数のキャリアを利用して構成される。なお、キャリアが配置される間隔が狭くなるほど、周波数の利用効率が高くなり、伝送容量を大きくすることが可能である。
【００２４】
ところが、キャリアが配置される間隔が狭くなると、波長チャネル間のクロストークが増大する。すなわち、スーパーチャネルは、クロストークの影響を考慮して設計することが好ましい。ただし、スーパーチャネルに多重化される各波長チャネルに対するクロストークの影響は、均一ではない。
【００２５】
図６は、スーパーチャネルに多重化される複数のキャリア間の相互作用について説明する図である。図６に示す例では、５つのキャリアＣ１〜Ｃ５によりスーパーチャネルが構成されている。キャリアＣ１〜Ｃ５の中心周波数は、それぞれｆ１〜ｆ５である。なお、各キャリアは、それぞれ１つの波長チャネルを構成することができる。
【００２６】
スーパーチャネルに多重化されているキャリア（以下、注目キャリア）は、他のキャリア（加害キャリア）から影響を受ける。図６（ａ）は、スーパーチャネルの中央に配置されているキャリアＣ３が他のキャリア（Ｃ１、Ｃ２、Ｃ４、Ｃ５）から影響を受ける様子を模式的に示している。また、図６（ｂ）は、スーパーチャネルの端部に配置されているキャリアＣ１が他のキャリア（Ｃ２〜Ｃ５）から影響を受ける様子を模式的に示している。ここで、注目チャネルの周波数と加害チャネルの周波数との間の差分が小さいほど、注目チャネルが加害チャネルから受ける影響は大きい。よって、スーパーチャネルの中央に配置されているキャリアＣ３は、他のキャリアと比較して、クロストークに起因する品質の劣化が大きいと考えられる。一方、スーパーチャネルの端部に配置されているキャリアＣ１、Ｃ５は、他のキャリアと比較して、クロストークに起因する品質の劣化が小さいと考えられる。
【００２７】
そこで、本発明の実施形態に係わるＷＤＭ伝送装置１は、スーパーチャネル信号を送信するときに、スーパーチャネルに多重化されている複数のキャリアの品質がほぼ等化されるように、各キャリアの光パワーを制御する機能を備える。ここで、スーパーチャネルの各キャリアの光パワーが互いに同じであるものとすると、上述したように、端部に配置されるキャリアと比較して、中央に配置されるキャリアの品質が低くなりやすい。したがって、ＷＤＭ伝送装置１は、端部に配置されるキャリアと比較して、中央に配置されるキャリアの光パワーが相対的に高くなるように、スーパーチャネルの各キャリアの光パワーを調整する。換言すれば、ＷＤＭ伝送装置１は、中央に配置されるキャリアと比較して、端部に配置されるキャリアの光パワーが相対的に低くなるように、スーパーチャネルの各キャリアの光パワーを調整する。
【００２８】
図７に示す例では、ＷＤＭ伝送装置１に入力されるスーパーチャネル信号に多重化されているキャリアＣ１〜Ｃ５の光パワーは、ほぼ均一である。なお、図７では、ＷＤＭ伝送装置１に入力される各キャリア（すなわち、最適化前の各キャリア）のスペクトルを破線で示している。ただし、後述するように、中央に配置されているキャリアＣ３の光パワーは最適化によって変化しないので、キャリアＣ３については、破線で表されるスペクトルと実線で表されるスペクトルは同じである。
【００２９】
スーパーチャネル信号の最適化は、以下のようにして行われる。すなわち、ＷＤＭ伝送装置１は、スーパーチャネルの中央に配置されているキャリアＣ３の光パワーは補正しない。また、ＷＤＭ伝送装置１は、実線で表すように、キャリアＣ３に隣接するキャリアＣ２、Ｃ４の光パワーをΔＰ１だけ減衰させる。さらに、ＷＤＭ伝送装置１は、実線で表すように、スーパーチャネルの端部に配置されているキャリアＣ１、Ｃ５の光パワーをΔＰ２だけ減衰させる。なお、ΔＰ２は、ΔＰ１よりも大きい。この結果、スーパーチャネル信号の周波数領域の中央から端部に向かって順番にキャリアの光パワーが小さくなるように、スーパーチャネル信号が構成される。なお、ΔＰ１とΔＰ２との差分は、ΔＰ１と同じであってもよいし、ΔＰ１と異なっていてもよい。
【００３０】
図８は、スーパーチャネル信号の最適化の効果を示す。図８（ａ）は、スーパーチャネルに多重化されているキャリアの光パワーがほぼ均一である場合における、各キャリアのＯＳＮＲ（Optical Signal-to-Noise Ratio）ペナルティを示す。この例では、端部に配置されるキャリアＣ１、Ｃ５と比較して、中央に配置されているキャリアＣ３の品質が低くなる。ここで、スーパーチャネルの伝送性能は、品質の最も悪いキャリアの品質に依存する。すなわち、この例では、スーパーチャネルの伝送性能は、キャリアＣ３の品質に依存する。
【００３１】
図８（ｂ）は、図７に示す最適化が行われた各キャリアのＯＳＮＲペナルティを示す。スーパーチャネル信号が最適化されると、中央に配置されているキャリアＣ３のＯＳＮＲが改善し、キャリアＣ１〜Ｃ５間でＯＳＮＲペナルティの差は小さくなる。この結果、スーパーチャネルの伝送性能が向上する。例えば、スーパーチャネル信号の最大伝送距離が長くなる。
【００３２】
＜第１の実施形態＞
図９は、第１の実施形態に係わる光伝送装置の一例を示す。ＷＤＭ伝送装置１００は、第１の実施形態に係わる光伝送装置の一例である。図９は、ＷＤＭ伝送装置１００が備える機能の一部を示している。
【００３３】
ＷＤＭ伝送装置１００は、複数のラインカード３１を収容することができる。各ラインカード３１は、光源３１ａおよび光変調器３１ｂを含む。光源３１ａは、指定された周波数または波長の連続光を生成する。光変調器３１ｂは、光源３１ａにより生成される連続光を送信データで変調することにより、変調光信号を生成する。なお、ラインカード３１は、予め指定されたパワーの光信号を生成する。すなわち、ラインカード３１は、予め決められた最大値と最小値との間の光パワーで光信号を出力するように構成されている。なお、ラインカード３１は、複数セットの光源３１ａおよび光変調器３１ｂを備えていてもよい。
【００３４】
図１０は、複数のラインカード３１により生成される光信号の一例を示す。図１０に示す例では、キャリアＣ１、Ｃ３〜Ｃ５、Ｃ８、Ｃ１１〜Ｃ１５、Ｃ１７を使用してそれぞれ光信号が生成されている。ここで、キャリアＣ３〜Ｃ５は、スーパーチャネル１を構成する。また、キャリアＣ１１〜Ｃ１５は、スーパーチャネル２を構成する。なお、スーパーチャネルは、50GHz以下の周波数間隔で連続して配置されている複数のキャリア（または、複数の波長チャネル）を多重化することにより実現される。よって、スーパーチャネル信号はＷＤＭ信号である。
【００３５】
ＷＤＭ伝送装置１００は、光合波部１１、波長選択スイッチ（ＷＳＳ）１２、光チャネルモニタ（ＯＣＭ）１３、スーパーチャネル検出部１０１、制御部１０２、メモリ１０３を備える。光合波部１１は、複数のラインカード３１から出力される光信号を合波してＷＤＭ信号を生成する。波長選択スイッチ１２は、ＷＤＭ信号中に多重化されている各波長チャネルを処理する。光チャネルモニタ１３は、ＷＤＭ信号の信号領域において、所定の周波数間隔（または、波長間隔）で光パワーを検出する。この結果、ＷＤＭ信号のスペクトルが得られる。
【００３６】
スーパーチャネル検出部１０１は、光チャネルモニタ１３の出力信号を利用して、ＷＤＭ信号の状態をモニタする。光チャネルモニタ１３の出力信号は、ＷＤＭ信号のスペクトルを表す。そして、スーパーチャネル検出部１０１は、ＷＤＭ信号のスペクトルに基づいてＷＤＭ信号に含まれているスーパーチャネル信号を検出する。なお、スーパーチャネル信号は、図１０に示すように、ＷＤＭ信号中に含まれている。さらに、スーパーチャネル検出部１０１は、スーパーチャネル信号に多重化されているキャリアの数を検出することができる。例えば、図１０に示す例では、スーパーチャネル信号１のキャリア数が３であることが検出され、スーパーチャネル信号２のキャリア数が５であることが検出される。
【００３７】
制御部１０２は、ＷＤＭ伝送装置１００の動作を制御する。例えば、制御部１０２は、波長選択スイッチ１２を制御することにより、ＷＤＭ信号に多重化されている各光信号を処理することができる。また、制御部１０２は、調整情報生成部１０２ａを含む。
【００３８】
調整情報生成部１０２ａは、スーパーチャネル信号に多重化されているキャリアの数および配置に基づいて、そのスーパーチャネル信号に多重化されている各キャリアの光パワーを調整するために使用される調整情報を生成する。調整情報は、図７に示す特性を実現するために、スーパーチャネル信号が配置されている周波数領域の中央から端部に向かって減衰量が増加してゆく波長特性を表す。なお、調整情報生成部１０２ａは、メモリ１０３に格納されている最適化データベースを参照して調整情報を生成してもよい。
【００３９】
図１１は、最適化データベースの一例を示す。最適化データベースには、スーパーチャネル信号に多重化されているキャリア数に対して補正値が格納されている。「１番目のキャリア」〜「５番目のキャリア」は、スーパーチャネル信号内のキャリアの配置を表す。例えば、「１番目のキャリア」は、スーパーチャネル信号に多重化されている複数のキャリアのなかで最も周波数の低いキャリアを表す。「２番目のキャリア」は、スーパーチャネル信号に多重化されている複数のキャリアのなかで２番目の周波数の低いキャリアを表す。補正値は、光パワーの減衰量を表す。例えば、スーパーチャネル信号内に３個のキャリアが多重化されている場合、第１、第２、第３のキャリアの補正値はそれぞれ「−１」「０」「−１」である。補正値は、特に限定されるものではないが、例えば「ｄＢ」で表される。
【００４０】
調整情報生成部１０２ａは、最適化データベースを参照し、スーパーチャネル信号に多重化されている各キャリアの補正値を取得する。そして、調整情報生成部１０２ａは、取得した補正値を利用して調整情報を生成する。この調整情報は、波長選択スイッチ１２に与えられる。そうすると、波長選択スイッチ１２は、この調整情報に従って、スーパーチャネル信号に多重化されている各キャリアの光パワーを調整する。
【００４１】
なお、スーパーチャネル検出部１０１および制御部１０２は、例えば、プロセッサにより実現される。すなわち、プロセッサが与えられたプログラムを実行することにより、スーパーチャネル検出部１０１および制御部１０２の機能が提供される。ただし、スーパーチャネル検出部１０１および制御部１０２の機能の一部は、ハードウェア回路で実現してもよい。
【００４２】
図１２は、波長選択スイッチ１２の減衰機能を模式的に示す。波長選択スイッチ１２の減衰機能は、分波器５１、可変光減衰器（ＶＯＡ：Variable Optical Attenuator）５２、合波器５３で表される。各可変光減衰器５２の減衰率（又は、透過率）は、与えられる制御信号により制御される。制御信号は、制御部１０２により生成される調整情報に相当する。また、複数の可変光減衰器５２は、所定の周波数間隔で設けられている。そして、例えば、周波数ｆ１に対して設けられている可変光減衰器５２を制御すれば周波数ｆ１の光信号のパワーが調整され、周波数ｆ２に対して設けられている可変光減衰器５２を制御すれば周波数ｆ２の光信号のパワーが調整される。
【００４３】
波長選択スイッチ１２の減衰機能は、ＬＣＯＳ（Liquid Crystal On Silicon）またはＭＥＭＳ（Micro Electro Mechanical Systems）などにより実現される。ＬＯＣＳおよびＭＥＭＳは、所望の減衰量で目標周波数（または、目標波長）の光パワーを調整することができる。なお、ＷＤＭ伝送装置１００は、波長選択スイッチを利用することなく減衰機能を実現してもよい。この場合、減衰機能は、例えば、光スイッチおよび可変光減衰器などの光パッシブ部品で実現することができる。
【００４４】
一例として、スーパーチャネル検出部１０１により図１０に示すスーパーチャネル信号２が検出されるものとする。スーパーチャネル信号２は、連続する５個のキャリアＣ１１〜Ｃ１５で構成されている。すなわち、スーパーチャネル信号２に多重化されているキャリアの数は５である。この場合、調整情報生成部１０２ａは、図１１に示す最適化データベースを参照し、補正値「−２、−１、０、−１、−２」を取得する。そして、調整情報生成部１０２ａは、スーパーチャネル信号２に対して調整情報「Ｃ１１：−２、Ｃ１２：−１、Ｃ１３：０、Ｃ１４：−１、Ｃ１５：−２」を生成して波長選択スイッチ１２に与える。
【００４５】
そうすると、波長選択スイッチ１２は、調整情報に従ってスーパーチャネル信号２に多重化されているキャリアの光パワーを調整する。具体的には、波長選択スイッチ１２は、キャリアＣ１１、Ｃ１５の光パワーをそれぞれ２ｄＢだけ減衰させ、キャリアＣ１２、Ｃ１４の光パワーをそれぞれ１ｄＢだけ減衰させ、キャリアＣ１３の光パワーを保持する。この結果、図７に示すように、中央に配置されているキャリアの光パワーが高く、端部に配置されているキャリアの光パワーが低いスーパーチャネル信号が生成される。
【００４６】
なお、補正値（すなわち、キャリア毎の減衰量）は、スーパーチャネル信号に多重化されているキャリアの数、キャリア間の周波数間隔、信号の伝送レート、変調方式、スーパーチャネル信号の総光パワーなどに応じて予め決定される。一例としては、スーパーチャネル信号の送信局において補正値を変化させながら、受信局において各波長チャネルの品質（例えば、エラー率）をモニタする。そして、各波長チャネルの品質が最適化されるように、或いは、各波長チャネルの品質が所定の閾値レベルよりも高くなるように、補正値が決定される。また、シミュレーションに基づいて補正値を決定してもよい。
【００４７】
図１３は、光チャネルモニタの出力を利用してスーパーチャネル信号を検出する方法を説明する図である。この例では、図１３（ａ）に示すように、キャリアＣ１、Ｃ３〜Ｃ５を利用してデータが伝送されるものとする。なお、キャリアＣ１とキャリアＣ３との間に配置されているキャリアは、データを伝送していない。また、連続する３個のキャリアＣ３〜Ｃ５は、スーパーチャネルを構成するために使用されている。
【００４８】
各キャリアは、所定の周波数間隔で構成されている周波数グリッド上に配置される。周波数グリッドの間隔は、特に限定されるものではないが、50GHz以下である。このため、複数の連続するキャリアを利用してデータが伝送されるときは、隣接するキャリア間でスペクトルが互いに重なることがある。図１３（ａ）に示す例では、キャリアＣ３、Ｃ４間でスペクトルが互いに重なっており、キャリアＣ４、Ｃ５間でスペクトルが互いに重なっている。
【００４９】
図１３（ｂ）は、解像度の高い光チャネルモニタにより検出されるスペクトルを示す。光チャネルモニタの解像度が高いときは、複数の連続するキャリアを利用してデータが伝送される場合であっても、各キャリアの中心周波数においてスペクトルのピークが現れる。すなわち、キャリアＣ３、Ｃ４、Ｃ５の中心周波数においてそれぞれピークが現れる。
【００５０】
この場合、スーパーチャネル検出部１０１は、まず、光チャネルモニタにより生成されるスペクトルにおいて、光パワーが所定の閾値レベルよりも高い周波数領域を検出する。そして、この周波数領域の幅が所定の周波数幅よりも広いときは、スーパーチャネル検出部１０１は、その周波数領域にスーパーチャネル信号が配置されていると判定する。図１３（ｂ）に示す例では、キャリアＣ３〜Ｃ５が配置されている周波数領域においてスーパーチャネル信号が検出される。また、スーパーチャネル検出部１０１は、スーパーチャネル信号が配置されている周波数領域において、スペクトルのピークの数をカウントする。この例では、３個のピークが存在する。したがって、スーパーチャネル検出部１０１は、スーパーチャネル信号に多重化されているキャリアの数が３であると判定する。
【００５１】
図１３（ｃ）は、解像度の低い光チャネルモニタにより検出されるスペクトルを示す。光チャネルモニタの解像度が低いときは、複数の連続するキャリアを利用してデータが伝送される場合、各キャリアに対応するピークが現れないことがある。この場合、スーパーチャネル検出部１０１は、下記の方法Ａまたは方法Ｂでスーパーチャネル信号に多重化されているキャリアの数を検出する。なお、光チャネルモニタにより生成されるスペクトルからスーパーチャネル信号を検出する方法は、上述した通りである。
【００５２】
方法Ａにおいては、スーパーチャネル信号の総光パワーを、１キャリア当たりの光パワーで割算することにより、スーパーチャネル信号に多重化されているキャリアの数が算出される。ここで、ラインカード３１は、予め指定されたパワーの光信号を生成する。すなわち、ラインカード３１は、予め決められた最大値Ｐmaxと最小値Ｐminとの間のパワーで光信号を出力する。また、ラインカード３１と光チャネルモニタ１３との間には、減衰要素が存在しないものとする。そうすると、１キャリア当たりの光パワーＰcは、近似的に（Ｐmax＋Ｐmin）／２で表すことができる。また、図１３（ｃ）に示すように、光パワーが所定の閾値レベルよりも高い周波数領域の幅をＷとし、スーパーチャネル信号の平均光レベルをＰaveとすると、スーパーチャネル信号の総光パワーは、Ｐave×Ｗで表される。この場合、Ｐave×ＷをＰcで割算することにより、スーパーチャネル信号に多重化されているキャリアの数が算出される。
【００５３】
方法Ｂにおいては、キャリアが配置される周波数グリッドの周波数間隔が既知であるものとする。この場合、光パワーが所定の閾値レベルよりも高い周波数領域の幅Ｗを、周波数グリッドの周波数間隔で割算することにより、スーパーチャネル信号に多重化されているキャリアの数が算出される。
【００５４】
なお、スーパーチャネル信号の端部のスペクトルは、光信号の変調方式および伝送レートに応じて広がることがある。よって、光パワーが所定の閾値レベルよりも高い周波数領域の幅Ｗを検出する際には、その閾値レベルを適切に決定することが求められる。一例としては、スーパーチャネル信号の光パワーの最大値から３ｄＢだけ低い値を閾値としてもよい。また、上述の方法Ａおよび方法Ｂは、光チャネルモニタの解像度が低いときだけでなく、光チャネルモニタの解像度が高いときに使用してもよい。
【００５５】
なお、図１３（ｂ）および図１３（ｃ）に示す矢印は、光パワーが所定の閾値レベルよりも高いか否かの判定を行うサンプリング点を表す。また、各サンプリング点における判定結果は、「１：閾値レベルよりも高い」または「０：閾値レベルよりも低い」で表されている。
【００５６】
図１４〜図１５は、スーパーチャネル信号の最適化を管理する管理テーブルの実施例を示す。管理テーブルは、図９に示すメモリ１０３に格納され、制御部１０２により更新される。
【００５７】
図１４に示す管理テーブルは、例えば、50GHz間隔の固定グリッド上にキャリアが配置されるＷＤＭシステムにおいて使用される。なお、この実施例では、波長選択スイッチ１２の減衰機能は、50GHz間隔で入力光のパワーを調整するものとする。
【００５８】
スーパーチャネル検出部１０１は、光チャネルモニタ１３の出力信号を50GHz間隔でサンプリングする。即ち、ＷＤＭ伝送装置１００の入力光信号のスペクトルが50GHz間隔でサンプリングされる。そして、スーパーチャネル検出部１０１は、各サンプリング点における光パワーが所定の閾値レベルよりも高いか否かを判定し、その判定結果を管理テーブルに書き込む。図１４に示す例では、193.00THz、193.10THz、193.15THz、193.20THzにおける光パワーがそれぞれ閾値レベルよりも高いと判定され、193.05THz、193.25THzにおける光パワーがそれぞれ閾値レベルよりも低いと判定されている。また、スーパーチャネル検出部１０１は、光パワーが閾値レベルよりも高い周波数領域に基づいて、スーパーチャネル信号を検出する。図１４に示す例では、周波数193.10〜193.20THzおよびその近傍の領域にスーパーチャネル信号が配置されていると判定される。さらに、スーパーチャネル検出部１０１は、このスーパーチャネル信号に多重化されているキャリアの数を検出する。図１４に示す例では、キャリア数は３である。なお、スーパーチャネル信号に多重化されているキャリアの数は、例えば、図１３を参照して説明した方法の中の任意の１つで検出される。
【００５９】
キャリア周波数の減衰量は、図１１に示す最適化データベースを参照することにより決定される。図１４に示す例では、周波数193.10〜193.20THzおよびその近傍の領域にスーパーチャネル信号が配置されている。よって、193.10THz、193.15THz、193.20THzに対してそれぞれ「−１ｄＢ」「０」「−１ｄＢ」が割り当てられる。そして、調整情報生成部１０２ａは、この割当てを表す調整情報を生成して波長選択スイッチ１２に与える。そうすると、波長選択スイッチ１２は、193.10±0.025THzの光および193.20±0.025THzの光をそれぞれ１ｄＢだけ減衰させる。
【００６０】
この結果、中央に配置されているキャリアの光パワーが高く、端部に配置されているキャリアの光パワーが低いスーパーチャネル信号が生成される。したがって、スーパーチャネル信号に多重化されているキャリア間のクロストークに起因して特定のキャリア（すなわち、中央に配置されているキャリア）のＯＳＮＲの劣化が抑制される。
【００６１】
図１５に示す管理テーブルは、フレキシブルグリッド上にキャリアが配置されるＷＤＭ伝送システムにおいて使用される。この例では、25GHz間隔で設定されるグリッドを利用して波長チャネルが設定される。また、波長選択スイッチ１２の減衰機能は、25GHz間隔で入力光のパワーを調整するものとする。
【００６２】
入力光信号からスーパーチャネル信号を検出する方法、キャリア数を検出する方法、スーパーチャネル信号が配置されている周波数領域に減衰量を割り当てる方法は、図１４および図１５に示す例において実質的に同じである。よって、193.100THz、193.125THzに対してそれぞれ「−１ｄＢ」が割り当てられ、193.150THz、193.175THzに対してそれぞれ「０」が割り当てられ、193.200THz、193.225THzに対してそれぞれ「−１ｄＢ」が割り当てられる。そして、調整情報生成部１０２ａは、この割当てを表す調整情報を生成して波長選択スイッチ１２に与える。そうすると、波長選択スイッチ１２は、調整情報に従って入力光の光パワーを減衰させる。
【００６３】
図１６は、スーパーチャネル信号を最適化する処理の一例を示すフローチャートである。このフローチャートの処理は、例えば、ＷＤＭ伝送装置１００が動作を開始したときに実行される。
【００６４】
Ｓ１において、光チャネルモニタ１３は、入力光信号のパワーをモニタしてそのスペクトルを検出する。すなわち、光チャネルモニタ１３の出力信号は、入力光信号のスペクトルを表す。そして、スーパーチャネル検出部１０１は、光チャネルモニタ１３の出力信号を利用して、所定の周波数間隔で連続して配置されている複数のキャリアを含む波長多重光信号（すなわち、スーパーチャネル信号）を検出する。また、スーパーチャネル信号が検出されたときは、スーパーチャネル検出部１０１は、そのスーパーチャネル信号に多重化されているキャリアの数を検出する。
【００６５】
Ｓ２において、制御部１０２は、Ｓ１の検出結果に基づいて、各キャリアの光パワーを調整する。すなわち、制御部１０２は、スーパーチャネル信号に多重化されている各キャリアの光パワーを調整する。このとき、調整情報生成部１０２ａは、最適化データベースを参照し、スーパーチャネル信号に多重化されているキャリアの数に基づいて各キャリアに対する補正値（すなわち、減衰量）を取得する。そして、調整情報生成部１０２ａは、取得した補正値を含む調整情報を生成して波長選択スイッチ１２に与える。この結果、スーパーチャネル信号に多重化されている各キャリアの光パワーが最適化される。なお、Ｓ１においてスーパーチャネル信号が検出されなかったときは、Ｓ２の処理をスキップしてもよい。
【００６６】
Ｓ３において、制御部１０２は、管理テーブルを作成し、Ｓ１の検出結果をその管理テーブルを書き込む。管理テーブルは、図１４または図１５に示すように、所定の周波数間隔で、入力光信号のパワーが閾値レベルよりも高いか否かを管理する。また、管理テーブルは、検出されたスーパーチャネル信号のキャリア数も管理する。そして、Ｓ１〜Ｓ３において実行される初期設定が終了すると、ＷＤＭ伝送装置１００の処理はＳ４へ進む。
【００６７】
Ｓ４〜Ｓ７の処理は、ＷＤＭ伝送装置１００が動作しているときは、繰り返し実行される。Ｓ４の処理は、Ｓ１と実質的に同じである。すなわち、光チャネルモニタ１３は、入力光信号のパワーをモニタしてそのスペクトルを検出する。スーパーチャネル検出部１０１は、光チャネルモニタ１３の出力信号を利用して、スーパーチャネル信号を検出する。そして、スーパーチャネル信号が検出されたときは、スーパーチャネル検出部１０１は、そのスーパーチャネル信号に多重化されているキャリアの数を検出する。
【００６８】
Ｓ５において、制御部１０２は、スーパーチャネル信号の状態が変化したか否かを判定する。このとき、制御部１０２は、Ｓ４で新たに検出されたスーパーチャネル信号と、先に検出されて管理テーブルに記録されているスーパーチャネル信号とを比較する。具体的には、制御部１０２は、新たに検出されたスーパーチャネル信号が配置されている周波数領域と、管理テーブルに記録されているスーパーチャネル信号が配置されている周波数領域とを比較する。この場合、周波数領域の幅を比較してもよいし、周波数領域の位置（例えば、中心周波数）を比較してもよい。また、制御部１０２は、新たに検出されたスーパーチャネル信号のキャリア数と、管理テーブルに記録されているスーパーチャネル信号のキャリア数とを比較する。いずれのケースにおいても、新たに検出されたスーパーチャネル信号が管理テーブルに記録されているスーパーチャネル信号と同じであれば、スーパーチャネル信号の状態が変化していないと判定され、新たに検出されたスーパーチャネル信号が管理テーブルに記録されているスーパーチャネル信号と異なっていれば、スーパーチャネル信号の状態が変化したと判定される。なお、新たなスーパーチャネル信号が生成されときは、Ｓ５の判定において「Ｙｅｓ」が得られる。
【００６９】
スーパーチャネル信号の状態が変化しているときは、制御部１０２は、スーパーチャネル信号は既に最適化されていると判定する。この場合、制御部１０２の処理は、Ｓ４に戻る。一方、スーパーチャネル信号の状態が変化していないときは、制御部１０２の処理はＳ６へ進む。
【００７０】
Ｓ６の処理は、Ｓ２と実質的に同じである。すなわち、制御部１０２は、Ｓ４における検出結果に基づいて、各キャリアの光パワーを調整する。すなわち、調整情報生成部１０２ａは、スーパーチャネル信号に多重化されているキャリアの数に基づいて各キャリアに対する補正値（すなわち、減衰量）を取得する。そして、調整情報生成部１０２ａは、取得した補正値を含む調整情報を生成して波長選択スイッチ１２に与える。この結果、スーパーチャネル信号に多重化されている各キャリアの光パワーが最適化される。
【００７１】
Ｓ７において、制御部１０２は、Ｓ４の検出結果に基づいて管理テーブルを更新する。すなわち、管理テーブルには、最新の入力ＷＤＭ信号の状態を表す情報が記録される。この後、ＷＤＭ伝送装置１００の処理は、Ｓ４に戻る。
【００７２】
このように、第１の実施形態の光伝送装置は、入力ＷＤＭ信号をモニタし、そのモニタ結果に応じてスーパーチャネル信号の最適化を行う。よって、スーパーチャネル信号の設定、追加、削除などを表す制御信号を受信しなくても、光伝送装置は、スーパーチャネル信号を最適化できる。すなわち、光伝送装置は、外部からの指示または制御なしで、ＷＤＭ信号のキャリア間のクロストークを抑制できる。また、光伝送装置は、光伝送装置に収容されるラインカードに依存することなく、スーパーチャネル信号を最適化できる。
【００７３】
なお、上述の実施例では、スーパーチャネル信号に多重化されているキャリアの数に基づいて各キャリアの光パワーが調整されるが、本発明はこの構成に限定されるものではない。例えば、スーパーチャネル信号が検出されたときに、制御部１０２は、そのスーパーチャネル信号が設定されている周波数領域の中央から端部に向かって徐々に減衰量が大きくなるように波長選択スイッチ１２を制御してもよい。この場合、スーパーチャネル信号に多重化されているキャリアの数をカウントする必要がないので、スーパーチャネル信号を最適化するための構成が簡単になる。
【００７４】
上述の実施例では、ＷＤＭ伝送装置１００は、ＷＤＭ伝送装置１００に接続されるラインカード３１から出力される光信号を処理するが、本発明はこの構成に限定されるものではない。すなわち、ＷＤＭ伝送装置１００は、伝送路ファイバを介して受信するＷＤＭ信号をモニタし、そのＷＤＭ信号から検出されるスーパーチャネル信号の各キャリアの光パワーを調整してもよい。ただし、この場合、ＷＤＭ伝送装置１００は、スーパーチャネル信号の周波数領域の中央に配置されているキャリアよりも端部に配置されているキャリアの光パワーが低くなるように、スーパーチャネル信号の各キャリアの出力パワーを調整する。
【００７５】
上述の実施例では、スーパーチャネル信号の最適化が行われるが、本発明はこの構成に限定されるものではない。すなわち、ＷＤＭ伝送装置１００は、所定の周波数間隔で連続して配置されている複数のキャリアを含む波長多重光信号を最適化することができる。
【００７６】
＜第２の実施形態＞
第１の実施形態では、図７を参照しながら説明したように、スーパーチャネル信号に多重化されている各キャリアの光パワーを調整することにより、スーパーチャネル信号が最適化される。これに対して第２の実施形態では、ラインカードにおいて生成される光信号のキャリア周波数が調整される。
【００７７】
図１７は、第２の実施形態に係わる光伝送装置の一例を示す。第２の実施形態においても、ＷＤＭ伝送装置が光伝送装置の一例である。また、入力光信号からスーパーチャネル信号を検出する方法およびスーパーチャネル信号に多重化されているキャリアの数をカウントする方法は、第１および第２の実施形態において実質的に同じである。
【００７８】
図１８は、第２の実施形態において使用される最適化データベースの一例を示す。第２の実施形態では、各キャリアに対する補正値として、周波数シフト量が指定されている。たとえば、スーパーチャネル信号内に３個のキャリアが多重化されている場合、第１、第２、第３のキャリアに対する補正値は、それぞれ「-12.5Gz」「０」「+12.5GHz」である。なお、補正値は、波長で表されるようにしてもよい。
【００７９】
調整情報生成部１０２ａは、最適化データベースを参照し、スーパーチャネル信号に多重化されている各キャリアの補正値を取得する。そして、調整情報生成部１０２ａは、取得した補正値を利用して調整情報を生成する。この調整情報は、対応する複数のラインカード３１に与えられる。そうすると、ラインカード３１は、この調整情報に従って、光源３１ａの発振周波数を調整する。
【００８０】
図１９は、第２の実施形態において使用される管理テーブルの一例を示す。第１の実施形態では、図１４〜図１５に示すように、補正値として減衰量が記録されるが、第２の実施形態においては、補正値として周波数シフト量が記録される。なお、上述の例では、調整情報生成部１０２ａから対応するラインカード３１に対して調整情報が与えられるが、本発明はこの構成に限定されるものではない。例えば、各ラインカード３１は、メモリ１０３に格納されている管理テーブルを参照して、自分の発振周波数を調整してもよい。
【符号の説明】
【００８１】
１  ＷＤＭ伝送装置
１１  光合波部
１２  波長選択スイッチ（ＷＳＳ）
１３  光チャネルモニタ（ＯＣＭ）
５２  可変光減衰器
１００  ＷＤＭ伝送装置
１０１  スーパーチャネル検出部
１０２  制御部
１０２ａ  調整情報生成部
１０３  メモリ
【図１】
2016220128.tif 000003
【図２】
2016220128.tif 000004
【図３】
2016220128.tif 000005
【図４】
2016220128.tif 000006
【図５】
2016220128.tif 000007
【図６】
2016220128.tif 000008
【図７】
2016220128.tif 000009
【図８】
2016220128.tif 000010
【図９】
2016220128.tif 000011
【図１０】
2016220128.tif 000012
【図１１】
2016220128.tif 000013
【図１２】
2016220128.tif 000014
【図１３】
2016220128.tif 000015
【図１４】
2016220128.tif 000016
【図１５】
2016220128.tif 000017
【図１６】
2016220128.tif 000018
【図１７】
2016220128.tif 000019
【図１８】
2016220128.tif 000020
【図１９】
2016220128.tif 000021